(57)【要約】【課題】屋外空気調和装置は、屋外の広いエリアの空気調和を行う。屋外熱交換器においては、上部に配置する第１熱交換器６を包含する空間の水を内部に侵入させると内部の機器に悪い影響を与える恐れがあった。【解決手段】屋外空気調和装置（１００、１００ａ）は、一つのケーシング（１０）の中に、圧縮機（１）と、第１熱交換器（６）と、第１熱交換器（６）を包含する空間の水を溜める第１ドレンパン（１５、１５ａ）と、第１ファン（７）と、第１熱交換器（６）より下部の第２熱交換器（３）と、第２ファン（４）と、を収容している。さらに、第１ドレンパン（１５）に溜まった水を排出する第１排水路（６２、７１）が形成されている。【選択図】図６
2020008268.tif 000002
【特許請求の範囲】
【請求項１】
圧縮機（１）と、
蒸発器および凝縮器のいずれか一方である、第１熱交換器（６）と、
前記第１熱交換器もしくは前記第１熱交換器を包含する空間から生じる水、又は前記空間に流入する水を溜める第１ドレンパン（１５、１５ａ）と、
前記第１熱交換器に空気を通すための第１ファン（７）と、
蒸発器および凝縮器の他方であり、前記第１熱交換器よりも下に配置された第２熱交換器（３）と、
前記第２熱交換器に空気を通すための第２ファン（４）と、
前記圧縮機、前記第１熱交換器、前記第１ファン、前記第１ドレンパン、前記第２熱交換器、および、前記第２ファンを収容するケーシング（１０）と、
を備えた屋外空気調和装置であって、
前記第１ドレンパンに溜まった水を排出する第１排水路（６２、７１）が形成されている、
屋外空気調和装置（１００、１００ａ）。
【請求項２】
前記第１ドレンパンには、前記第１排水路の一部となる穴（８１ａ、８１ｂ）または切欠き（５４）が形成されている、
請求項１に記載の屋外空気調和装置。
【請求項３】
前記ケーシングは、
鉛直方向に延びる支柱（１１ａ〜１１ｄ）を有し、
前記支柱に、前記第１排水路が形成されている、
請求項１または２に記載の屋外空気調和装置。
【請求項４】
前記第１排水路（７１）は、前記第１ドレンパン（１５ａ）に接続されたホース（７１ａ）を有している、
請求項１または２に記載の屋外空気調和装置。
【請求項５】
前記第１排水路は、前記第１ドレンパンに溜まった水の少なくとも一部が前記第１排水路を経由して前記ケーシングの外部に排出することが可能に配置されている、
請求項１〜４のいずれか１項に記載の屋外空気調和装置。
【請求項６】
前記第２熱交換器を包含する空間の水を溜める第２ドレンパン（１７、１７ａ）をさらに備えている、
請求項１〜５のいずれか１項に記載の屋外空気調和装置。
【請求項７】
前記第１排水路は、前記第１ドレンパンに溜まった水の少なくとも一部が前記第１排水路を経由して前記第２ドレンパンに流れることが可能に配置されている、
請求項６に記載の屋外空気調和装置。
【請求項８】
前記第２ドレンパンに溜まった水を前記ケーシングの外部に排出する第３排水路が、さらに、形成されている、
請求項７に記載の屋外空気調和装置。
【請求項９】
前記第３排水路は、前記第２ドレンパンに接続されたホースを有している、
請求項８に記載の屋外空気調和装置。
【請求項１０】
前記第２ドレンパンの水を受ける底面は、前記第１排水路からの水が流入する部分よりも、前記第３排水路が形成されている部分が低くなるように、傾斜している、
請求項９に記載の屋外空気調和装置。
【請求項１１】
前記第２ドレンパンには、さらに、前記第２熱交換器を支持する台座（８２ａ〜８２ｃ）が形成されており、前記台座は、前記第２熱交換器を水平な状態に支持する、
請求項１０に記載の屋外空気調和装置。
【請求項１２】
前記第２ドレンパンに溜まった水を貯水可能な貯水タンクをさらに備えた、
請求項６または７に記載の屋外空気調和装置。
【請求項１３】
前記第２ドレンパンに溜まった水を、前記第１熱交換器を包含する空間に送ることが可能なポンプをさらに備えた、
請求項６、７、１２のいずれか１項に記載の屋外空気調和装置。
【請求項１４】
前記ケーシングを構成する部材には、前記ケーシングの天面から内部への水の流れ込みを抑制する第２排水路（６１）が、形成されている、
請求項１〜１３のいずれか１項に記載の屋外空気調和装置。
【請求項１５】
前記支柱には、前記ケーシングの上から内部空間への水の流れ込みを抑制する第２排水路が形成されており、
前記支柱には、前記第１排水路および前記第２排水路のための異なる経路が形成されている、
請求項３に記載の屋外空気調和装置。
【請求項１６】
前記第１熱交換器を包含する空間と、前記第２熱交換器を包含する空間の間に、前記第２ファンを包含する空間が配置されており、
前記第１排水路は、前記第２ファンを包含する空間の外に形成されている、
請求項１〜３のいずれか１項に記載の屋外空気調和装置。
【請求項１７】
前記屋外空気調和装置は、冷房運転、または、暖房運転を切り換えて運転可能である、
請求項１〜１６のいずれか１項に記載の屋外空気調和装置。
【発明の詳細な説明】
【技術分野】
【０００１】
屋外で使用される空気調和装置。
【背景技術】
【０００２】
利用側熱交換器、および、熱源側熱交換器を、一つの筐体に備えた、空気調和装置が知られている。従来の空気調和装置は、一般に、室内の局部的空間の冷房、除湿などに用いられていた。たとえば、特許文献１（特開２００６−２４２５１０号公報）は、凝縮器、蒸発器を一つの筐体の中に備え、局所的な冷房と除湿を行うことを想定した空気調和装置を開示している。
【発明の概要】
【発明が解決しようとする課題】
【０００３】
近年、屋外イベントは増加しており、屋外イベント会場や飲食店のテラス席等、屋外空気調和装置の要望が高まってきている。屋外空気調和装置は、蒸発器および凝縮器の二つの熱交換器を一つのケーシングに含んでいる。上部に配置される熱交換器の近傍では、その熱交換器に起因して生じる水、または、熱交換器の近傍に外部から侵入する水が考えられるが、これら水を適切に処理しないと、機器の内部に水が入り込んで悪い影響を与える恐れがある。
【課題を解決するための手段】
【０００４】
第１観点の屋外空気調和装置は、屋外で使用される空気調和装置である。屋外空気調和装置は、圧縮機と、第１熱交換器と、第１ドレンパンと、第１ファンと、第２熱交換器と、第２ファンと、ケーシングと、を備えている。第１熱交換器は、蒸発器または凝縮器の一方であり、第２熱交換器は、他方である。第２熱交換器は、第１熱交換器の下に配置されている。第１ドレンパンは、第１熱交換器もしくは第１熱交換器を包含する空間から生じる水、又は空間に流入する水を溜める。第１ファンは、第１熱交換器に空気を通すためのものである。第２ファンは、第２熱交換器に空気を通すためのものである。ケーシングは、圧縮機と、第１熱交換器と、第１ドレンパンと、第１ファンと、第２熱交換器と、第２ファンとを、収容している。屋外空気調和装置には、第１ドレンパンに溜まった水を排出する第１排水路が形成されている。
【０００５】
第１熱交換器を包含する空間とは、第１熱交換器を包含し、かつ、ケーシングと、ケーシング内を上下に区切る仕切板（中間板、ドレンパンなど）で仕切られた空間を意味する。
【０００６】
なお、ケーシングは、支柱と、底板と、天板と、を有していることが好ましい。
【０００７】
第１観点の屋外空気調和装置は、第１排水路を有しているため、第１ドレンパンの下のケーシングの内部への水の流れ込みが抑制されている。
【０００８】
第２観点の屋外空気調和装置は、第１観点の空気調和装置であって、第１ドレンパンには、第１排水路の一部となる穴または切欠きが形成されている。
【０００９】
第２観点の屋外空気調和装置は、第１ドレンパンに、穴または切欠きが形成されているため、より効果的に、第１ドレンパンの水を排出することができる。
【００１０】
第３観点の屋外空気調和装置は、第２観点または第３観点の屋外空気調和装置であって、ケーシングは、鉛直方向に延びる支柱を有している。そして、支柱に、第１排水路が形成されている。
【００１１】
第３観点の屋外空気調和装置は、支柱に第１排水路が形成されているため、第１ドレンパンより下の支柱で囲まれた空間には、水の流れ込みが抑制される。
【００１２】
第４観点の屋外空気調和装置は、第１観点または第２観点の屋外空気調和装置であって、
第１排水路は、第１ドレンパンに接続されたホースを有している。
【００１３】
第４観点の屋外空気調和装置においては、第１排水路がホースを有しているので、第１排水路の柔軟な配置が可能になる。
【００１４】
第５観点の屋外空気調和装置は、第１観点〜第４観点のいずれかの屋外空気調和装置であって、第１排水路は、前記第１ドレンパンに溜まった水の少なくとも一部が前記第１排水路を経由して前記ケーシングの外部に排出することが可能に配置されている。
【００１５】
第５観点の屋外空気調和装置は、第１ドレンパンに溜まった少なくとも一部の水がケーシングの外部へ排出されるため、ケーシングの内部に余分な水を貯留することが少ない。
【００１６】
第６観点の屋外空気調和装置は、第１観点〜第５観点のいずれかの屋外空気調和装置であって、第２ドレンパンをさらに備える。第２ドレンパンは、第２熱交換器を包含する空間の水を溜める。第２熱交換器を包含する空間とは、第２熱交換器を包含し、かつ、ケーシングと、ケーシング内を上下に区切る仕切板（中間板、ドレンパンなど）で仕切られた空間を意味する。
【００１７】
第６観点の屋外空気調和装置においては、第２ドレンパンを有しているので、第２熱交換器で発生した水分や、第２熱交換器に侵入した雨水等を溜めることができる。
【００１８】
第７観点の屋外空気調和装置は、第６観点の屋外空気調和装置であって、第１排水路は、第１ドレンパンに溜まった水の少なくとも一部が第１排水路を経由して第２ドレンパンに流れることが可能に配置されている。
【００１９】
第７観点の屋外空気調和装置は、第１ドレンパンに溜まった水を、単に排水するのではなく、第２ドレンパンに流すので、水をケーシング内部に溜めたり、再活用したりすることができる。
【００２０】
第８観点の屋外空気調和装置は、第７観点の屋外空気調和装置であって、さらに、第３排水路が形成されている。第３排水路は、第２ドレンパンに溜まった水をケーシングの外部に排出する。
【００２１】
第８観点の屋外空気調和装置は、第２ドレンパンに溜まった水をケーシングの外部に排出する第３排水路を有しているので、ケーシング内部の第２ドレンパンの下の空間への水の浸入を抑制できる。
【００２２】
第９観点の屋外空気調和装置は、第８観点の屋外空気調和装置であって、第３排水路は、第２ドレンパンに接続されたホースを有している。
【００２３】
第９観点の屋外空気調和装置においては、第３排水路がホースを有しているので、第３排水路の柔軟な配置が可能になる。
【００２４】
第１０観点の屋外空気調和装置は、第９観点の屋外空気調和装置であって、第２ドレンパンの水を受ける底面は、第１排水路からの水が流入する部分よりも、第３排水路が形成されている部分が低くなるように、傾斜している。
請求項９に記載の屋外空気調和装置。
【００２５】
第１０観点の屋外空気調和装置は、第２ドレンパンが傾斜しており、かつ、第３排水路が形成されている部分が低くなるように構成されているので、第３排水路に水が集まり、排出されやすくなっている。
【００２６】
第１１観点の屋外空気調和装置は、第１０観点の屋外空気調和装置であって、さらに、第２ドレンパンには、台座が形成されている。台座は、第２熱交換器を支持し、第２熱交換器を水平な状態に支持する。
【００２７】
第１１観点の屋外空気調和装置においては、第２ドレンパンには、第２熱交換器を支持する台座が形成されているので、傾斜している第２ドレンパン上で、第２熱交換器を水平に支持できる。
【００２８】
第１２観点の屋外空気調和装置は、第６観点または第７観点の屋外空気調和装置であって、貯水タンクをさらに備えている。
【００２９】
第１２観点の屋外空気調和装置は、貯水タンクを備えているため、余分な水をケーシングの周辺に垂れ流さずに、貯水タンクに溜めることができる。
【００３０】
第１３観点の屋外空気調和装置は、第６観点、第７観点、第１２観点のいずれかの屋外空気調和装置であって、ポンプをさらに備えている。第２ドレンパンに溜まった水を、第１熱交換器を包含する空間に送ることが可能である。
【００３１】
第１３観点の屋外空気調和装置は、第２ドレンパンに溜まった水を第１熱交換器に送って再利用することができる。
【００３２】
第１４観点の屋外空気調和装置は、第１観点〜第１３観点のいずれかの屋外空気調和装置であって、ケーシングを構成する部材に、第２排水路が形成されている。第２排水路は、ケーシングの天面から内部への水の流れ込みを抑制する。
【００３３】
第１４観点の屋外空気調和装置は、第２排水路が形成されているので、雨水等の外部から装置内部への水の流れ込みを抑制することができる。
【００３４】
第１５観点の屋外空気調和装置は、第３観点の屋外空気調和装置であって、支柱に、第２排水路が形成されている。第２排水路は、ケーシングの天面から内部への水の流れ込みを抑制する。さらに、支柱には、第１排水路および第２排水路のための異なる経路が形成されている。
【００３５】
第１５観点の屋外空気調和装置は、支柱に第１排水路および第２排水路が設けられているため、それぞれを通過する排水に異なる処理を行うことができる。
【００３６】
第１６観点の屋外空気調和装置は、第１観点〜第３観点のいずれかの屋外空気調和装置であって、第１熱交換器を包含する空間と、第２熱交換器を包含する空間の間に、前記第２ファンを包含する空間が配置されている。第１排水路は、第２ファンを包含する空間の外に形成されている。
【００３７】
ここで、第２ファンを包含する空間とは、第２熱交換器を通過する空気の吹出し経路および吹出し口を意味している。この吹出し口に第１排水路の水が落ちてくると、空気流によって、空気とともに吹出され、ユーザーに当たる可能性がある。第１６観点の屋外空気調和装置においては、第１排水路は、第２ファンを包含する空間の外に形成されているため、第１排水路を通過する水が吹出し口から吹き出されることがない。
【００３８】
第１７観点の屋外空気調和装置は、第１観点〜第１６観点のいずれかの屋外空気調和装置であって、冷房運転、または、暖房運転を切り換えて運転可能である。
【００３９】
第１７観点の屋外空気調和装置は、冷房運転、または、暖房運転を切り換えて運転可能であるため、長いシーズンの間利用可能である。
【図面の簡単な説明】
【００４０】
【図１】第１実施形態の屋外空気調和装置１００の冷媒回路を示す図。
【図２】第１実施形態の屋外空気調和装置１００の外観斜視図。
【図３Ａ】第１実施形態の屋外空気調和装置１００の内部の構成を示す斜視図。
【図３Ｂ】第１実施形態の屋外空気調和装置１００の内部の構成を示す縦断面図。
【図４】第１実施形態の屋外空気調和装置１００の内部の構成と第２排水路６１を示す斜視図。
【図５Ａ】第１実施形態の天板１３と支柱１１ｂの組み立て前の構成を示す図。
【図５Ｂ】第１実施形態の天板１３と支柱１１ｂの組み立て後の構成を示す図。
【図５Ｃ】第１実施形態の支柱１１ｂにおける第２排水路６１および第１排水路６２を示す図。
【図６】第１実施形態の屋外空気調和装置１００の第１排水路６２を示す図。
【図７Ａ】第２実施形態の屋外空気調和装置１００ａの内部の構成を示す斜視図。
【図７Ｂ】第２実施形態の屋外空気調和装置１００ａの内部の構成を示す、図７Ａとは別の方向から見た斜視図。
【図７Ｃ】第２実施形態の底板１２ａの穴８１ｄと第３排水路７３の断面図。
【図８Ａ】第２実施形態のドレンパン１５ａの上面図。
【図８Ｂ】第２実施形態のドレンパン１５ａのＩ−Ｉ断面図。
【図９Ａ】第２実施形態のドレンパン１７ａの上面図。
【図９Ｂ】第２実施形態のドレンパン１７ａのＩＩ−ＩＩ断面図。
【図９Ｃ】第２実施形態のドレンパン１７ａのＩＩＩ−ＩＩＩ断面図。
【図９Ｄ】第２実施形態のドレンパン１７ａのＩＶ−ＩＶ断面図。
【図１０】第２実施形態のドレンパン１５ａ、１７ａの穴８１ａ〜８１ｃとフィルタ８３の断面図。
【図１１】変形例２Ａのドレンパン１７ｂの上面図。
【図１２】変形例２Ｂのドレンパン１７ｃの上面図。
【発明を実施するための形態】
【００４１】
＜第１実施形態＞
（１）屋外空気調和装置１００の冷媒回路の構成
第１実施形態の屋外空気調和装置１００の冷媒回路を図１に、外観の斜視図を図２に示す。本実施形態の屋外空気調和装置は、屋外に配置され、ヒートポンプを用いて、屋外の暖房、冷房、除湿などを行う空気調和装置である。ここで、屋外とは、外気にさらされる空間を意味する。たとえば、公園、野外競技場など、屋根の無いところの場合もあれば、屋根がある戸外空間、東屋や、ベランダのような場所であってもよい。
【００４２】
屋外空気調和装置１００は、冷房、または、除湿のみを行う冷房専用機であってもよい。屋外空気調和装置１００は、暖房のみを行う、暖房専用機であってもよい。屋外空気調和装置１００は、冷房、除湿に加えて、暖房を行う、空気調和装置であってもよい。
【００４３】
本実施形態の屋外空気調和装置１００は、図１に示すような冷媒回路全体を一つのケーシング１０の中に含む、空気調和装置である。屋外空気調和装置１００は、図１に示すように、圧縮機１、アキュムレーター８、四方切換弁２、第２熱交換器３、膨張弁５、第１熱交換器６を備えている。これらの機器は、配管で接続され、冷媒は各機器を循環して、蒸気圧縮式の冷凍サイクルが行われる。屋外空気調和装置１００は、さらに、第２熱交換器３、第１熱交換器６にそれぞれ空気を送る第２ファン４、第１ファン７を備えている。言い換えると、本実施形態の第２熱交換器３、第１熱交換器６は、ともに、冷媒と空気で熱交換を行う熱交換器である。
【００４４】
冷房、除湿の場合は、第２熱交換器３、第１熱交換器６は、それぞれ冷凍サイクルの蒸発器、凝縮器として機能する。暖房の場合は、第２熱交換器、第１熱交換器は、それぞれ凝縮器、蒸発器として機能する。冷房と暖房は、四方切換弁２の切換により冷媒の流れを変更することにより、行われる。屋外空気調和装置１００が冷房専用機である場合には、四方切換弁２は不要である。屋外空気調和装置１００が暖房専用機である場合には、デフロスト運転のために、四方切換弁２を備えていてもよい。
【００４５】
屋外空気調和装置１００において用いる冷媒としては、たとえば、Ｒ３２単体、Ｒ３２を含む混合冷媒である。Ｒ３２を含む混合冷媒の例としては、Ｒ４５２Ｂ、Ｒ４１０Ａ、Ｒ４５４Ｂ、ＨＦＯ混合冷媒である。Ｒ４５２Ｂは、Ｒ３２が６７．０ｗｔ％、Ｒ１２５が７．０ｗｔ％、Ｒ１２３４ｙｆが２６．０％である。Ｒ４１０Ａは、Ｒ３２が５０ｗｔ％、Ｒ１２５が５０ｗｔ％である。Ｒ４５４Ｂは、Ｒ３２が７２．５ｗｔ％、Ｒ１２３４ｙｆが２７．５ｗｔ％である。ＨＦＯ混合冷媒としては、ＨＦＯ−１１２３が４５．０ｗｔ％、Ｒ３２が５５．０ｗｔ％のものや、ＨＦＯ−１１２３が４０．０ｗｔ％、Ｒ３２が６０．０ｗｔ％のものがある。
【００４６】
（２）屋外空気調和装置１００の各機器の配置
屋外空気調和装置１００の外観の斜視図を図２に、化粧板、一部の支柱等を取り除いて、主な内部の構成を表示した斜視図、縦断面図を図３Ａ、３Ｂに示す。
【００４７】
本実施形態の空気調和装置１００では、ケーシング１０の中に、圧縮機１、第１熱交換器６、第２熱交換器３、第１ファン７、第２ファン４、電装品（図示せず）が収容されている。ケーシング１０は、水平断面が、略正方形の直方体形状を有している。水平断面は、多角形、長方形であってもよい。円形であってもよい。ケーシング１０は、４本の支柱１１ａ〜１１ｄと、天板１３と底板１２とを有している。またケーシング１０の内部の空間は中間板１４、１６およびドレンパン１５、１７によって仕切られている。４本の支柱１１ａ〜１１ｄは、上面視水平な正方形の四隅に、鉛直に配置されている。天板１３、底板１２、および中間板１４、１６およびドレンパン１５、１７は、４本の支柱１１ａ〜１１ｄに固定されている。
【００４８】
４本の支柱１１ａ〜１１ｄのうち一の支柱１１ｄの内部または周辺には、冷媒配管、電気配線が集中的に配置されている。言い換えると、屋外空気調和装置１００の上下を繋ぐ冷媒配管、電気配線は、４本の支柱に均等、または均等に順ずる形で分配して配置されているのではなく、一の支柱１１ｄに、他の支柱よりも多くの冷媒配管、電気配線が配置されている。
【００４９】
天板１３の中央部には、円形の開口である第１吹出し口２９が形成されている。
【００５０】
ケーシング１０の外側の４側面２０ａ〜２０ｄ２０ａ〜２０ｄには、上化粧板２０１、下化粧板２０２が取り付けられている。化粧板２０１、２０２はそれぞれメッシュ状に多数の孔が形成されており、孔を通じて空気が流通可能になっている。特に、化粧板２０１、２０２の、熱交換器３、６の前面に配置されている部分は、空気の吸込み口になっているため、多数の穴が形成されている。
【００５１】
ケーシング１０の内部には、上から順に、第１ファン７、第１熱交換器６、第２ファン４、第２熱交換器３、圧縮機１が配置されている。第１ファン７は、第１熱交換器６に空気を流通させる。第２ファン４は、第２熱交換器３に空気を流通させる。底板１２とドレンパン１７の間には、圧縮機１だけでなく、アキュムレーター８、ドレン水を集めるためのタンクも配置されている。
【００５２】
底板１２のさらに下には、４つのキャスターが取り付けられている。したがって、屋外空気調和装置１００は、移動可能である。
【００５３】
第１ファン７は、プロペラファンである。ターボファン、シロッコファンであってもよい。第１ファン７は、天板１３の中央部の第１吹出し口２９から上方に空気を排出できるように取り付けられている。第１ファン７は、第１モータ７ａによって駆動される。天板１３の第１吹出し口２９にはメッシュ状の板２２が配置されている。
【００５４】
第１熱交換器６は、冷媒を流通させる伝熱管と、冷媒と空気との熱交換を促進する金属製フィンを含んでいる。本実施形態において、第１熱交換器６は熱源側熱交換器である。第１熱交換器６は、ケーシング１０の４側面２０ａ〜２０ｄの全ての面に配置されている。冷媒は、すべての面を通過させる必要は無い。たとえば、２側面２０ａ〜２０ｄごとに２つに分離して、冷媒を分配して流通させてもよい。また、必ずしも４つの面全てに第１熱交換器６を配置しなくてもよい。３つの面、２つの面、１つの面だけに配置してもよい。
【００５５】
第２ファン４は、ターボファンである。プロペラファン、シロッコファンであってもよい。第２ファン４は、ドレンパン１５、中間板１６の間に、ドレンパン１５の中央部に吊り下げるように取り付けられている。第２ファン４は、第２モータ（図示せず）で駆動される。第２モータは、第１ファン７のモータ７ａと別のモータで駆動され、独立に制御可能である。
【００５６】
第２熱交換器３は、冷媒を空気と熱交換させながら流通させる伝熱管と、冷媒と空気との熱交換を促進する金属製フィンとを含んでいる。本実施形態において、第２熱交換器３は利用側熱交換器である。第２熱交換器３は、ケーシング１０の４側面２０ａ〜２０ｄの全ての面に配置されている。冷媒は、すべての面を通過させる必要は無い。たとえば、２側面２０ａ〜２０ｄごとに２つに分離して、冷媒を分配して流通させてもよい。また、必ずしも４つの側面２０ａ〜２０ｄ全てに第２熱交換器３を配置しなくてもよい。３つの面、２つの面、１つの面だけに配置してもよい。
【００５７】
電装品（図示せず）は、圧縮機１と同様に、支柱１１ａ〜１１ｄと、底板１２と、ドレンパン１７とで囲われる空間に配置されている。電装品は、他の場所に配置されていても良い。電装品は、制御部の一部である。制御部は、圧縮機モータ、ファンモータ、膨張弁などを制御する。電装品は、回路基板等の電子機器を含んでいる。
【００５８】
（３）屋外空気調和装置１００における空気を流す構成と、空気の流れの説明
（３−１）第２熱交換器３側の空気の流れ
図面を参照して、第２熱交換器３側の空気の流れを詳細に説明する。図３Ａ、３Ｂには、本実施形態の屋外空気調和装置１００における、主な空気の流れを矢印で示している。
【００５９】
第２ファン４が運転されると、空気は、屋外空気調和装置１００の外部、４側面２０ａ〜２０ｄの第２熱交換器３の前面から、化粧板２０２を介して、中間板１６、ドレンパン１７の間の空間に取り込まれる。空気は、第２熱交換器３を通過し、第２熱交換器３において、冷媒と熱交換を行う。冷媒によって加熱または冷却された空気は、第２ファン４を通過し、ドレンパン１５、中間板１６の間の空間において４側面２０ａ〜２０ｄに設けられた吹出し口３１ａ〜３１ｄから外の空間に、横方向に吹出される。ここで横方向とは、水平方向±３０°で定義する。本実施形態の屋外空気調和装置１００は、フラップ４０２を有しており、水平方向±３０°より広い角度で風向を変更することができる。吹出し口３１ａ〜３１ｄは、ケーシング１０に形成された穴である。吹出し口３１ａ〜３１ｄには、フラップ４０２が配置されている。フラップ４０２は、風向を上下に変更することができる。ケーシング１０のある側面２０ａ〜２０ｄだけ、フラップ４０２を全閉にし、特定の数の特定の方向だけ、空気の吹出しを封止することもできる。
【００６０】
（３−２）第１熱交換器６側の空気の流れ
第１ファン７が運転されると、空気は、屋外空気調和装置１００の外部の、第１熱交換器６が配置されている前面から、化粧板２０１を経由して、中間板１４、ドレンパン１５の間の空間に、取り込まれる。また、外気は、４側面２０ａ〜２０ｄにおいて、取り込まれる。外部から取り込まれた空気は、第１熱交換器６を通過して、冷媒と熱交換を行う。冷媒によって、加熱または冷却された空気は、屋外空気調和装置１００の内部で第１ファン７、天板１３の中央の第１吹出し口２９を通過して、屋外空気調和装置１００の外の上部に、上向きに吹出される。
【００６１】
（４）屋外空気調和装置１００の排水路について
（４−１）ドレンパン１５に溜まる水の排水について
ドレンパン１５に溜まる水の排水について、図面を用いて説明する。図６は、ドレンパン１５に溜まる水の排水経路を示す図である。図６には、第１ドレンパン１５、第２ドレンパン１７を支柱１１ｂに差し込む前の状態が示されている。屋外空気調和装置１００の利用時には、これらは支柱１１ｂに差し込まれている。
【００６２】
ドレンパン１５より上、中間板１４の下の空間には、第１熱交換器６が配置されている。したがって、ドレンパン１５には、熱交換器６からの水、熱交換器６を包含する空間から発生する水、この空間に外部から流れ込む水などが溜まる可能性がある。本実施形態の屋外空気調和装置１００は、図６の矢印で示すように、ドレンパン１５に溜まった水を排水する第１排水路６２を有している。ドレンパン１５は、端部の壁に切欠きを有しており、そこから支柱１１ｂの第１排水路６２に水が流れるようになっている。本実施形態では、支柱１１ｂの第１排水路６２を流れた水は、第２ドレンパン１７に流れ込むように構成されている。第２ドレンパン１７に流れ込んだ水は、屋外空気調和装置の内部で再利用されたり、タンクに蓄えられたり、ケーシング１０の外に排水されたりする。
【００６３】
支柱１１ｂは、図５Ｃに示すように、内部が分割されて、第２排水路６１と第１排水路６２が形成されている。第１排水路６２は、第１ドレンパン１５から第２ドレンパン１７まで、別々に水を流すことができる。次に説明するように、第２排水路６１は、天板から支柱１１ｂの下まで水を流す。
【００６４】
第１排水路６２は、冷媒配管や電気配線の集中している支柱１１ｄには配置されておらず、他の３本の支柱１１ａ〜１１ｃのいずれか１以上または全てに配置されている。第２排水路６１も同様である。
【００６５】
（４−２）ケーシング１０の天面の上部から流れ込む水の排水について
本実施形態の屋外空気調和装置１００の第２排水路６１について、図面を用いて説明する。図４は、屋外空気調和装置１００の内部構成および排水路６１が判り易いように、部品を適宜選別して描いた図であり、図５Ａ〜図５Ｃは、天板１３または支柱１１ｂにおける第２排水路６１を示す図である。
【００６６】
屋外空気調和装置１００は、屋外に設置されるため、降雨等により、天板１３には水が溜まる。図５Ａまたは図５Ｂに示すように、天板１３の端部には、壁５６が形成されており、水は、この壁５６によってガイドされる。図５Ａおよび図５Ｂに示すように、天板１３の端は、支柱１１ｂの内面板５２の上下の切れ目に差し込まれている。この天板１３の支柱１１ｂに差し込まれる部分で、天板１３の壁５６には、切欠き５７が形成されている。屋外空気調和装置１００の外部から天板１３の上に到達した水は、切欠き５７を経由して、支柱１１ｂ内の排水路６１を経由して、支柱１１ｂの下に排水される。
【００６７】
（５）特徴
（５−１）
本実施形態の屋外空気調和装置１００は、一つのケーシング１０の中に、圧縮機１、第１熱交換器６、第１ドレンパン１５、第２熱交換器３、第１ファン７、第２ファン４を備えている。第１ドレンパンは、第１熱交換器６もしくは第１熱交換器６を包含する空間から生じる水、又は空間に流入する水を溜める。また、第１熱交換器６を包含する空間とは、中間板１４と第１ドレンパン１５と支柱１１ａ〜１１ｄで囲まれた空間である。屋外空気調和装置１００には、第１ドレンパン１５に溜まった水を排出する第１排水路６２が形成されている。
【００６８】
本実施形態の屋外空気調和装置１００は、第１排水路６２を有しているため、第１ドレンパンの下のケーシングの内部への水の流れ込みが抑制されている。
【００６９】
なお、ここで、ケーシングの内部とは、ケーシングに囲まれた空間のことであって、ケーシング自体の内部を含まない。
【００７０】
次に、第１ドレンパンに溜まる水の課題について、もう少し詳しく説明する。
【００７１】
まずは、屋外空気調和装置１００の運転中についてである。
【００７２】
第１熱交換器６が蒸発器として作用している場合、第１熱交換器６もしくは第１熱交換器６を包含する空間から水が生じる。この水が、ケーシング１０の内部に垂れ流されると問題となる場合がある。特に本実施形態の場合、第２熱交換器３を通過した空気の吹出し口３１ａ〜３１ｄが第１ドレンパン１５の下、中間板１６の上の空間にあるため、水が吹出し空気とともに吹出される恐れがある。このような場合、ユーザーに不快感を与えるので、本実施形態のごとく第１排水路６２により、排出するのは好ましい。
【００７３】
次に、第１熱交換器６が凝縮器として作用している場合は、次のような構成のときに問題がある。蒸発器で発生した水を凝縮器にかけることにより、熱交換器の効率が向上する場合がある。本実施形態の屋外空気調和装置１００においても、第２熱交換器３（蒸発器）で発生した水分をポンプで上に送り、第１熱交換器６（凝縮器）にかけることにより、熱交換効率が向上する。凝縮器において全てのかけられた水が蒸発しなかった場合、余剰の水が、第１ドレンパン１５に溜まる可能性がある。この場合は、第１熱交換器６が蒸発器として作用する場合と同様に、第１ドレンパン１５に溜まった水が、吹出される等の問題が発生しうる。
【００７４】
また、屋外空気調和装置１００が、運転停止中は、次のような課題がある。
【００７５】
本実施形態の屋外空気調和装置１００は、天板１３の上部に吹出し口２９が形成されている。そして、第１熱交換器６の側面２０ａ〜２０ｄから吸込まれた空気は、ファン７によって生じる空気流により、上部に吹出される。このように、天板１３に吹出し口２９が開いているため、また、吸込み口から吹出し口２９にいたる空気の流路が確保されているため、雨水等の水は、容易にケーシング１０の内部に流れ込み、第１熱交換器６の周囲の空間に至る。
【００７６】
また、ケーシング１０の側面に配置されている化粧板２０１、２０２には、多数の穴が形成されているため、雨天時には、ここから、水がケーシング１０の内部に進入する場合がある。
【００７７】
これらの水は、ケーシング１０の中に入り込み、機器に悪影響を与える恐れがある。ここで、機器への悪影響とは、例えば機器の内部へ水が入り込み、機器が損傷することを意味する。機器の内部とは、電装品など電子機器の内部や、圧縮機モータの内部、ファンモータの内部等を意味する。
【００７８】
本実施形態の屋外空気調和装置１００においては、第１ドレンパン１５に水を溜めて、第１排水路６２で排出することにより、第１ドレンパン１５より下のケーシング１０の内部に水が入り込むのを抑制している。
【００７９】
（５−２）
本実施形態の屋外空気調和装置１００においては、図６に示すように、第１ドレンパン１５には、水が溜まるように端部に壁５３が形成されている。また、支柱１１ａ〜１１ｃの内面板５２には切れ目が作られており、この切れ目に、第１ドレンパン１５は挿入される。この第１ドレンパン１５の挿入される部分の壁５３には、切欠き５４が形成されている。
【００８０】
本実施形態の屋外空気調和装置１００は、第１ドレンパン１５に、切欠き５４が形成されているため、円滑に、第１ドレンパン１５に溜まる水を排出することができる。
【００８１】
（５−３）
本実施形態の屋外空気調和装置１００においては、ケーシング１０は、鉛直方向に延びる支柱１１ａ〜１１ｄを有している。そして、支柱１１ａ〜１１ｃに、第１排水路６２が形成されている。
【００８２】
本実施形態の屋外空気調和装置１００は、支柱１１ａ〜１１ｄに第１排水路６２が形成されているため、第１ドレンパン１５より下の支柱で囲まれた空間には、水の流れ込みが抑制されている。
【００８３】
また、本実施形態の屋外空気調和装置１００においては、４本の支柱１１ａ〜１１ｄの全てに、第１排水路６２が形成されているのではなく、一部の支柱１１ａ〜１１ｄに第１排水路６２が形成されている。言い換えると、３本の支柱１１ａ〜１１ｃに第１排水路が形成され、支柱１１ｄには、第１排水路６２は形成されていない。このようにすることで、第１排水路６２の形成されていない支柱１１ｄには、電気配線や冷媒配管を配置するスペースが生まれる。また、第１排水路６２と冷媒配管が熱交換するのを防止することができる。第１排水路６２の排水が漏れたときに、電気配線にダメージを与えるのを回避することができる。
【００８４】
（５−４）
本実施形態の屋外空気調和装置１００は、第２ドレンパン１７をさらに備える。第２ドレンパン１７は、第２熱交換器３を包含する空間の水を溜める。ここで、第２ドレンパン１７に溜まる水とは、第２熱交換器もしくは第２熱交換器を包含する空間から生じる水、又は空間に流入する水である。また、第２熱交換器を包含する空間とは、中間板１６と第２ドレンパン１７と支柱１１ａ〜１１ｄで囲まれた空間である。第１排水路６２は、第１ドレンパン１５に溜まった水の少なくとも一部が第１排水路６２を経由して第２ドレンパン１７に流れることが可能に配置されている。
【００８５】
本実施形態の屋外空気調和装置１００は、第１ドレンパン１５に溜まった水を、単に排水するのではなく、第２ドレンパン１７に流すので、水をケーシング１０内部に溜めたり、再活用したりすることができる。
【００８６】
（５−５）
本実施形態の屋外空気調和装置１００は、貯水タンクをさらに備えている。
【００８７】
本実施形態の屋外空気調和装置１００は、貯水タンクを備えているため、余分な水をケーシング１０の周辺に垂れ流さずに、貯水タンクに溜めることができる。
【００８８】
（５−６）
本実施形態の屋外空気調和装置１００は、ポンプをさらに備えている。第２ドレンパン１７に溜まった水を、第１熱交換器６を包含する空間に送ることが可能である。
【００８９】
特に、第２熱交換器３が蒸発器の場合、蒸発器または蒸発器周辺で生じた水を、第１熱交換器６（凝縮器）にたらすことによって、効率をアップすることができる。
【００９０】
（５−７）
本実施形態の屋外空気調和装置１００は、ケーシング１０を構成する部材に、第２排水路６１が形成されている。第２排水路６１は、ケーシングの天面から内部への水の流れ込みを抑制する。第２排水路６１は、雨水等外部から屋外空気調和装置１００に流れ込もうとする水の排水路である。
【００９１】
本実施形態の屋外空気調和装置１００は、第２排水路６１が形成されているので、雨水等の外部から装置内部への水の流れ込みを抑制することができる。
【００９２】
（５−８）
本実施形態の屋外空気調和装置１００は、支柱に、第２排水路６１が形成されている。第２排水路６１は、ケーシング１０の天面から内部への水の流れ込みを抑制する。さらに、支柱１１ａ〜１１ｃには、第１排水路６２および第２排水路６１のための異なる経路が形成されている。
【００９３】
本実施形態の屋外空気調和装置１００は、支柱に第１排水路６２および第２排水路６１が設けられているため、それぞれを通過する排水に異なる処理を行うことができる。言い換えると、発生場所、時間または、発生理由の異なる排水を分別して流すことができる。そのため、排水の再利用や、異なる処理を容易に行うことができる。たとえば、雨水は単に垂れ流し、ドレン水は、タンクに貯留して、適宜、タンクを取り外して別の場所に捨てに行く、などの処理をすることができる。このような処理を実行することによるメリットは次のとおりである。雨天時は周囲も濡れているから垂れ流しても外観上の周囲の美観を損ないにくい。ドレン水は天候によらず発生するが、垂れ流さないような構成としていることで美観を損なうことなく運転が可能である。
【００９４】
（５−９）
本実施形態の屋外空気調和装置１００は、第１熱交換器６を包含する空間と、第２熱交換器３を包含する空間の間に、第２ファン４を包含する空間が配置されている。第１排水路６２は、第２ファン４を包含する空間の外に形成されている。
【００９５】
ここで、第２ファン４を包含する空間とは、第２熱交換器３を通過する空気の吹出し経路および吹出し口３１ａ〜３１ｄを含む空間を意味している。この吹出し口３１ａ〜３１ｄに第１排水路６２の水が落ちてくると、空気流によって、水が空気とともに吹出され、ユーザーに当たる可能性がある。本実施形態の屋外空気調和装置１００においては、第１排水路６２は、第２ファン４を包含する空間の外に形成されているため、第１排水路６２を通過する水が吹出し口３１ａ〜３１ｄから吹き出されることがない。
【００９６】
（５−１０）
本実施形態の屋外空気調和装置１００は、冷房運転、または、暖房運転を切り換えて運転可能である。
【００９７】
本実施形態の屋外空気調和装置１００は、冷房運転、または、暖房運転を切り換えて運転可能であるため、長いシーズンの間利用可能である。
【００９８】
また、本実施形態の屋外空気調和装置１００は、２つの熱交換器３、６のそれぞれに対応したドレンパン１５、１７とそれを適切に排水することができる構成を有している。したがって、いずれの熱交換器３、６から凝縮水が発生した場合でもドレンパンに受取、排水路に排水することができる。
【００９９】
（６）変形例
（６−１）変形例１Ａ
第１実施形態の屋外空気調和装置１００においては、第１排水路６２は、第２ドレンパン１７に排水を導くよう構成されている。変形例１Ａの空気調和装置１００においては、第１排水路６２は、支柱１１ａ〜１１ｃより、支柱の下部に排水を行うように構成されている。他の構成は第１実施形態と同様である。
【０１００】
変形例１Ａの屋外空気調和装置は、第１排水路６２によって、第１ドレンパン１５に溜まった水をケーシング１０の外部に排水できるため、第１ドレンパン１５の下のケーシング１０の内部へ水が流れ込むのを抑制することができる。
【０１０１】
（６−２）変形例１Ｂ
第１実施形態の屋外空気調和装置１００においては、第１排水路６２は、第２ドレンパン１７に排水を導き、変形例１Ａの空気調和装置１００においては、第１排水路６２は、支柱１１ａ〜１１ｃより、支柱の下部に排水を行うように構成されている。変形例１Ｂの屋外空気調和装置は、これらを切り換えて使用できる切換器を備えている。
【０１０２】
たとえば、次のように、使用できる。まず、屋外空気調和装置が停止中は、第１排水路６２の排水をケーシング１０の外に排水するようにする。そうして、雨水等を外に捨てる。逆に屋外空気調和装置が運転中は、第１排水路６２の排水を第２ドレンパン１７に到達するように切り換える。そうして、第２ドレンパンに溜まった水を再利用したり、貯水タンクに回収したりする。
【０１０３】
（６−３）変形例１Ｃ
第１実施形態の屋外空気調和装置１００においては、第１ドレンパン１５には、第１排水路６２の一部となる切欠き５４が形成されている。変形例１Ｃでは、切欠きは無く、ドレンパン１５の底板に、穴が形成されている。穴が、支柱１１ａ〜１１ｃの第１排水路６２の上部に来るように形成されている。他の構成は第１実施形態と同様である。
【０１０４】
変形例１Ｃの空気調和装置は、第１実施形態と同様に、円滑に、第１ドレンパン１５に溜まる水を排出することができる。
【０１０５】
（６−４）変形例１Ｄ
第１実施形態の屋外空気調和装置１００では、３本の支柱１１ａ〜１１ｃに排水路６２、６１が形成されている場合について説明した。変形例１Ｄにおいては、１本の支柱１１ｂのみに排水路６２、６１が形成されている。その他の構成は、第１実施形態と同様である。
【０１０６】
この場合も第１実施形態と同様の作用効果が得られる。その上、構成はより簡単であり、ケーシング１０が低コストに生産できる。
【０１０７】
また、同様に、２本の支柱１１ａ、１１ｃのみに、排水路６２、６１を形成しても良い。
【０１０８】
（６−５）変形例１Ｅ
変形例１Ｄの屋外空気調和装置は、１本の支柱１１ｂのみに排水路６２、６１が形成されている場合であった。変形例１Ｅの屋外空気調和装置では、１本の支柱１１ｂに排水路６２が形成されており、別の支柱１１ａに排水路６１が形成されている。その他の構成は、第１実施形態と同様である。
【０１０９】
この場合も第１実施形態と同様の作用効果が得られる。その上、支柱の構成は第１実施形態や変形例１Ｄより簡単であり、ケーシング１０が低コストに生産できる。
【０１１０】
（６−６）変形例１Ｆ
第１実施形態においては、支柱１１ａ〜１１ｃにおける第１排水路６２は、支柱の内部である。変形例１Ｆにおいては、第１排水路６２は、支柱１１ａ〜１１ｃの内側表面に形成されている溝である。その他の構成は、第１実施形態と同様である。
【０１１１】
変形例１Ｆの屋外空気調和装置は、第１実施形態の場合と同様の作用効果を有する。
【０１１２】
変形例１Ｆの場合は、第１排水路６２を支柱１１ａ〜１１ｃの内側表面に形成していたが、外側表面でも良い。
【０１１３】
また、以上は第１排水路６２について説明したが、第２排水路６１の場合も同様である。
【０１１４】
＜第２実施形態＞
（７）屋外空気調和装置１００ａの構成
第２実施形態の屋外空気調和装置１００ａの構成は、図１の冷媒回路、図３Ａ、３Ｂの各構成要素の配置等、概略、第１実施形態の屋外空気調和装置１００と同じである。第２実施形態においては、第１ドレンパン、第２ドレンパン、第１排水路の構成等が、第１実施形態と異なる。また、第２実施形態の屋外空気調和装置１００ａは、第３排水路が形成されている。
【０１１５】
第２実施形態の屋外空気調和装置１００ａは、図３Ａ、図３Ｂの屋外空気調和装置１００と同様に、ケーシング１０の中に、上から順に、第１ファン７、第１熱交換器６、第２ファン４、第２熱交換器３、圧縮機１が収容されている。また、ケーシング１０は、４本の支柱１１ａ〜１１ｄと、上から順に、天板１３、中間板１４、第１ドレンパン１５、中間板１６、第２ドレンパン１７、および、底板１２を有している。なお、これから以降、これらの部品について、第２実施形態で符号を用いて示すときには、第１ドレンパン１５ａのように、末尾に「ａ」をつけて示すことにする。
【０１１６】
図７Ａ、図７Ｂは、屋外空気調和装置１００ａの内部の構成がわかるように示した斜視図、図７Ｃは、底板１２ａの断面図、図８Ａ、８Ｂは、第１ドレンパン１５ａの図、図９Ａ〜図９Ｄは、第２ドレンパン１７ａの図、図１０は、ドレンパンの穴とフィルタ８３の断面図である。
【０１１７】
第１ドレンパン１５ａは、第１熱交換器６ａもしくは第１熱交換器６ａを包含する空間から生じる水、またはその空間に流入する水を溜める。本実施形態においては、第１ドレンパン１５ａの底面は、水平である。第１ドレンパン１５ａの底面には、図８Ａ、図８Ｂに示すように、２つの穴８１ａ、８１ｂが形成されている。第１ドレンパン１５ａの穴８１ａ、８１ｂから落ちた水は、二つの第１排水路７１を経由して、第２ドレンパン１７ａに導かれる。第１排水路７１の数は、一つであってもよいし、三つ、四つ、であっても良い。
【０１１８】
各第１排水路７１は、各ホース７１ａを有している。ホース７１ａは、可撓性材料により構成されている。可撓性材料とは、有機高分子材料、ゴムなどである。
【０１１９】
第２ドレンパン１７ａは、第２熱交換器３ａもしくは第２熱交換器３ａを包含する空間から生じる水、又は空間に流入する水を溜める。第２ドレンパン１７ａの上部には、図９Ａ、図９Ｂに示すように、第１排水路７１（ホース７１ａ）の出口７１ｂが配置されている。第１ドレンパン１５ａに溜まった水は、第１排水路７１（ホース７１ａ）を経由して、出口７１ｂより出て、第２ドレンパン１７ａの底面の上に落ち、第２ドレンパン１７ａに溜まる。
【０１２０】
第２ドレンパン１７ａの底面は、図９Ａ、９Ｂ、９Ｃに示すように、台座８２ａの配置されている辺が最も低くなるように、その対向する辺が最も高くなるように、傾斜している。第３排水路７３の穴８１ｃは、第２ドレンパン１７ａの底面の最も低い辺の近傍に配置されている。第１排水路７１の出口７１ｂから第２ドレンパン１７ａ上への水の流入部分は、第３排水路７３の穴８１ｃの形成部分と同等以上の高さになっている。本実施形態においては、第２ドレンパン１７ａの底面において、一の第１排水路７１の出口７１ｂからの水の流入部分は、第３排水路７３の穴８１ｃの形成部分より高く、他の第１排水路７１の出口７１ｂからの水の流入部分は、第３排水路７３の穴８１ｃの形成部分と同じ高さである。したがって、第２ドレンパンに溜まった水は、その傾斜にしたがって、穴８１ｃの形成部分に集まり易くなっている。穴８１ｃに集まった水は、第３排水路７３を経由して、ケーシングの外へ排出される。
【０１２１】
第３排水路７３は、ホース７３ａを有している。ホース７３ａは、可撓性材料により構成されている。可撓性材料とは、有機高分子材料、ゴムなどである。
【０１２２】
第３排水路７３（ホース７３ａ）は、図７Ａ、７Ｂ、７Ｃに示すように、底板１２ａの穴８１ｄを通過して、底板１２ａの下部まで通じている。ホース７３ａは、底板１２ａの下部でさらに、別のホース７４に接続されている。第２ドレンパン１７ａに溜まった水は、第３排水路７３、ホース７４を経由して、ケーシングの下の地面、または、ホース７４に導かれた適当な場所に排出される。
【０１２３】
第２ドレンパン１７ａには、図７Ａ、７Ｂ、９Ａ、９Ｄに示すように、台座８２ａ〜８２ｃが配置されている。台座８２ａ〜８２ｃの上には、第２熱交換器３ａが配置される。上述したように、第２ドレンパン１７ａの底面は、傾斜している。台座８２ａ〜８２ｃの上面は、この傾斜を補正して水平になっている。かつ３つの台座８２ａ〜８２ｃの上面は、同一の高さになるように配置されている。したがって、第２熱交換器３ａを台座の上に配置することにより、第２熱交換器３ａを水平に配置することができる。
【０１２４】
また、図１０に示すように、第１ドレンパン１５ａの穴８１ａ、８１ｂにおいても、第２ドレンパン１７ａの穴８１ｃにおいても、フィルタ８３を配置しても良い。フィルタ８３は、周辺部の環状部分と、中央部のメッシュ状部分とを含んでいる。図１０においては、環状部分の下部の突部分を穴に嵌めこんで、ドレンパン１５ａ、１７ａに固定している。本実施形態においては、フィルタ８３は、金属製である。金属は、銅、または、鉄を含む。フィルタ８３は、中央部のメッシュ状部分で、水などの液体を通して、ごみ等の固形物の流出を防止する。フィルタ８３は、第１排水路７１、第３排水路７３に固形物が詰まり、排水が悪くなるのを防止する。
【０１２５】
（８）第２実施形態の特徴
第２実施形態の屋外空気調和装置１００ａは、第１実施形態の屋外空気調和装置１００と同様に、（５−１）、（５−４）、（５−１０）等の特徴を有している。それに加えて次の特徴を有する。
【０１２６】
（８−１）
第２実施形態の屋外空気調和装置１００ａは、第１実施形態の屋外空気調和装置１００と同様に、第１ドレンパン１５ａの下には、利用側熱交換器としての第２熱交換器３ａと、第２ファン４と、その吹出し口３１ａ〜３１ｄと（図３Ａ等参照）が配置されている。そこで、第１ドレンパンに溜まった水が、ケーシングの中に垂れると、垂れた水が第２ファンによって吹出し口から吹出されるといった不都合も起こりうる。そこで本実施形態においては、第１排水路７１を設けることにより、ホース７１ａの中に排水を通すことによって、排水が第２ファン４の風によって、吹き飛ばされるのを防いでいる。
【０１２７】
さらに、第１排水路７１にホース７１ａを用いることによって、第１排水路の柔軟な配置が可能になる。ホースは、可撓性を有するからである。
【０１２８】
（８−２）
第２実施形態の屋外空気調和装置１００ａは、さらに、第２ドレンパン１７ａと、第３排水路７３とを有する。第２ドレンパン１７ａは、第２熱交換器３ａを包含する空間の水を溜める。第２熱交換器３ａを包含する空間とは、第２熱交換器を包含し、かつ、ケーシングと、ケーシング内を上下に区切る仕切板（中間板、ドレンパンなど）で仕切られた空間を意味する。第３排水路７３は、第２ドレンパン１７ａに溜まった水をケーシングの外部に排出する。
【０１２９】
第２実施形態の屋外空気調和装置１００ａは、第２ドレンパン１７ａに溜まった水をケーシングの外部に排出する第３排水路７３を有しているので、ケーシング内部の第２ドレンパン１７ａの下の空間に水が浸入するのを抑制できる。
【０１３０】
さらに、第３排水路７３は、ホース７３ａで構成されているので、第３排水路７３の柔軟な配置が可能になる。
【０１３１】
（８−３）
第２実施形態の第２ドレンパン１７ａの底面においては、第１排水路７１からの水が流入する部分よりも、第３排水路７３が形成されている部分が低くなるように、傾斜している。
【０１３２】
第２実施形態の屋外空気調和装置１００ａは、第２ドレンパン１７ａが傾斜しており、かつ、第３排水路７３が形成されている部分が低くなるように構成されているので、第３排水路７３に水が集まり、排出されやすくなっている。
【０１３３】
（８−４）
第２実施形態の屋外空気調和装置１００ａにおいて、第２ドレンパン１７ａには、台座８２ａ〜８２ｃが形成されている。台座８２ａ〜８２ｃは、第２熱交換器３ａを支持し、第２熱交換器３ａを水平な状態に支持する。
【０１３４】
第２実施形態の屋外空気調和装置１００ａにおいては、第２ドレンパン１７ａには、第２熱交換器３ａを支持する台座８２ａ〜８２ｃが形成されているので、傾斜している第２ドレンパン１７ａ上で、第２熱交換器３ａを水平に支持できる。
【０１３５】
（９）変形例
（９−１）変形例１Ａ、１Ｂ
第２実施形態の第２ドレンパン１７ａの台座８２ａ〜８２ｃは、３つであった。台座は、第２熱交換器３ｃを水平に支持できれば、２つであっても、４以上であってもよい。
【０１３６】
変形例１Ａのドレンパン１７ｂは、図１１に示すように、４つの台座８２ａ〜８２ｄを有している。変形例１Ｂのドレンパン１７ｃは、図１２に示すように、２つの台座８２ａ、８２ｄを有している。いずれも、複数の台座の上面は、水平、かつ、同一の高さになるように配置されている。したがって、第２熱交換器３ａを台座の上に配置することにより、第２熱交換器３ａを水平に配置することができる。変形例１Ａまたは１Ｂの屋外空気調和装置の台座以外の構成は、第２実施形態と同様である。
【０１３７】
（９−２）変形例１Ｃ
第２実施形態の第２ドレンパン１７ａの底面は、略四角形であり、台座８２ａに沿った辺が低くなり、その辺と対向する辺が高くなるように、傾斜していた。変形例１Ｃにおいては、第２ドレンパン１７ａの底面は、第３排水路７３の穴８１ｃの角が低くなるように、その角に対向する角が高くなるように、傾斜している。台座８２ａ〜８２ｃの上面が水平になっている点など、その他の構成は、第２実施形態と同様である。
【０１３８】
変形例１Ｃにおいては、第２ドレンパン１７ａの底面において、二つの第１排水路７１の出口７１ｂからの水の流入部分は、第３排水路７３の穴８１ｃの形成部分より高い。したがって、変形例１Ｃの場合、第１実施形態よりも、第２ドレンパンに溜まった水は、穴８１ｃの形成部分に集まり易く、第３排水路７３に排出されやすい。
【０１３９】
以上、本開示の実施形態を説明したが、特許請求の範囲に記載された本開示の趣旨及び範囲から逸脱することなく、形態や詳細の多様な変更が可能なことが理解されるであろう。
【符号の説明】
【０１４０】
１００、１００ａ          屋外空気調和装置
１              圧縮機
２              四方切換弁
３、３ａ        第２熱交換器
４              第２ファン
５              膨張弁
６              第１熱交換器
７              第１ファン
８              アキュムレーター
１０            ケーシング
１１ａ〜１１ｄ  支柱
１２、１２ａ            底板
１３            天板
１４、１６      中間板
１５、１５ａ    第１ドレンパン
１７、１７ａ    第２ドレンパン
５４、５７      切欠き
６１            第２排水路
６２、７１      第１排水路
７３            第３排水路
７１ａ、７３ａ  ホース
８１ａ〜８１ｃ  穴
８２ａ〜８２ｃ  台座
８３            フィルタ
【先行技術文献】
【特許文献】
【０１４１】
【特許文献１】特開２００６−２４２５１０号公報
【図１】
2020008268.tif 000003
【図２】
2020008268.tif 000004
【図３Ａ】
2020008268.tif 000005
【図３Ｂ】
2020008268.tif 000006
【図４】
2020008268.tif 000007
【図５Ａ】
2020008268.tif 000008
【図５Ｂ】
2020008268.tif 000009
【図５Ｃ】
2020008268.tif 000010
【図６】
2020008268.tif 000011
【図７Ａ】
2020008268.tif 000012
【図７Ｂ】
2020008268.tif 000013
【図７Ｃ】
2020008268.tif 000014
【図８Ａ】
2020008268.tif 000015
【図８Ｂ】
2020008268.tif 000016
【図９Ａ】
2020008268.tif 000017
【図９Ｂ】
2020008268.tif 000018
【図９Ｃ】
2020008268.tif 000019
【図９Ｄ】
2020008268.tif 000020
【図１０】
2020008268.tif 000021
【図１１】
2020008268.tif 000022
【図１２】
2020008268.tif 000023
【手続補正書】
【提出日】令和1年8月5日(2019.8.5)
【手続補正１】
【補正対象書類名】特許請求の範囲
【補正対象項目名】全文
【補正方法】変更
【補正の内容】
【特許請求の範囲】
【請求項１】
圧縮機（１）と、
蒸発器および凝縮器のいずれか一方である、第１熱交換器（６）と、
前記第１熱交換器もしくは前記第１熱交換器を包含する空間から生じる水、又は前記空間に流入する水を溜める第１ドレンパン（１５、１５ａ）と、
前記第１熱交換器に空気を通すための第１ファン（７）と、
蒸発器および凝縮器の他方であり、前記第１熱交換器よりも下に配置された第２熱交換器（３）と、
前記第２熱交換器を包含する空間の水を溜める第２ドレンパン（１７、１７ａ）と、
前記第２熱交換器に空気を通すための第２ファン（４）と、
前記圧縮機、前記第１熱交換器、前記第１ファン、前記第１ドレンパン、前記第２熱交換器、および、前記第２ファンを収容するケーシング（１０）と、
を備えた屋外空気調和装置であって、
前記第１ドレンパンに溜まった水を排出する第１排水路（６２、７１）が形成されており、
前記第１熱交換機が凝縮器として使用され、前記第２熱交換器が蒸発器として使用される、
屋外空気調和装置（１００、１００ａ）。
【請求項２】
前記第１熱交換器は熱源側熱交換器として利用され、前記第２熱交換器は利用側熱交換器として利用される、
請求項１に記載の屋外空気調和装置。
【請求項３】
前記第１熱交換器を包含する空間と前記第２熱交換器を包含する空間の間に第２ファンを包含する空間が配置されており、前記第２ファンを包含する空間と前記第１熱交換器を包含する空間の間には中間板（１６、１６ａ）が配置され、
前記第１排水路は前記第１ドレンパンから前記中管板を貫通して前記第２ドレンパンへ繋がっている、
請求項１または２に記載の屋外空気調和装置。
【請求項４】
前記第１ドレンパンには、前記第１排水路の一部となる穴（８１ａ、８１ｂ）または切欠き（５４）が形成されている、
請求項１〜３のいずれか１項に記載の屋外空気調和装置。
【請求項５】
前記ケーシングは、
鉛直方向に延びる支柱（１１ａ〜１１ｄ）を有し、
前記支柱に、前記第１排水路が形成されている、
請求項１〜４のいずれか１項に記載の屋外空気調和装置。
【請求項６】
前記第１排水路（７１）は、前記第１ドレンパン（１５ａ）に接続されたホース（７１ａ）を有している、
請求項１〜４のいずれか１項に記載の屋外空気調和装置。
【請求項７】
前記第１排水路は、前記第１ドレンパンに溜まった水の少なくとも一部が前記第１排水路を経由して前記ケーシングの外部に排出することが可能に配置されている、
請求項１〜６のいずれか１項に記載の屋外空気調和装置。
【請求項８】
前記第１排水路は、前記第１ドレンパンに溜まった水の少なくとも一部が前記第１排水路を経由して前記第２ドレンパンに流れることが可能に配置されている、
請求項１〜７のいずれか１項に記載の屋外空気調和装置。
【請求項９】
前記第２ドレンパンに溜まった水を前記ケーシングの外部に排出する第３排水路が、さらに、形成されている、
請求項１〜８のいずれか１項に記載の屋外空気調和装置。
【請求項１０】
前記第３排水路は、前記第２ドレンパンに接続されたホースを有している、
請求項９に記載の屋外空気調和装置。
【請求項１１】
前記第２ドレンパンの水を受ける底面は、前記第１排水路からの水が流入する部分よりも、前記第３排水路が形成されている部分が低くなるように、傾斜している、
請求項９または１０に記載の屋外空気調和装置。
【請求項１２】
前記第２ドレンパンには、さらに、前記第２熱交換器を支持する台座（８２ａ〜８２ｃ）が形成されており、前記台座は、前記第２熱交換器を水平な状態に支持する、
請求項１〜１１のいずれか１項に記載の屋外空気調和装置。
【請求項１３】
前記第２ドレンパンに溜まった水を貯水可能な貯水タンクをさらに備えた、
請求項１〜１２のいずれか１項に記載の屋外空気調和装置。
【請求項１４】
前記第２ドレンパンに溜まった水を、前記第１熱交換器を包含する空間に送ることが可能なポンプをさらに備えた、
請求項１〜１３のいずれか１項に記載の屋外空気調和装置。
【請求項１５】
前記ケーシングを構成する部材には、前記ケーシングの天面から内部への水の流れ込みを抑制する第２排水路（６１）が、形成されている、
請求項１〜１４のいずれか１項に記載の屋外空気調和装置。
【請求項１６】
前記支柱には、前記ケーシングの上から内部空間への水の流れ込みを抑制する第２排水路が形成されており、
前記支柱には、前記第１排水路および前記第２排水路のための異なる経路が形成されている、
請求項５に記載の屋外空気調和装置。
【請求項１７】
前記第１熱交換器を包含する空間と、前記第２熱交換器を包含する空間の間に、前記第２ファンを包含する空間が配置されており、
前記第１排水路は、前記第２ファンを包含する空間の外に形成されている、
請求項１または２に記載の屋外空気調和装置。
【請求項１８】
前記屋外空気調和装置は、冷房運転、または、暖房運転を切り換えて運転可能である、
請求項１〜１７のいずれか１項に記載の屋外空気調和装置。
【手続補正２】
【補正対象書類名】明細書
【補正対象項目名】００１０
【補正方法】変更
【補正の内容】
【００１０】
第３観点の屋外空気調和装置は、第１観点または第２観点の屋外空気調和装置であって、ケーシングは、鉛直方向に延びる支柱を有している。そして、支柱に、第１排水路が形成されている。
【手続補正３】
【補正対象書類名】明細書
【補正対象項目名】００２４
【補正方法】変更
【補正の内容】
【００２４】
第１０観点の屋外空気調和装置は、第９観点の屋外空気調和装置であって、第２ドレンパンの水を受ける底面は、第１排水路からの水が流入する部分よりも、第３排水路が形成されている部分が低くなるように、傾斜している。